(57)【要約】      （修正有）【課題】燃料電池と一体型の超コンデンサを組み合わせた電源を提供する。【解決手段】発電機は、水素を発生する燃料と、プロトン交換膜を含んでいる燃料電池スタック層２３０を含んでいる。燃料電池層は、更に、コンデンサ層２４３を含んでいる。アノード層１３５とカソード層１４０は、燃料電池スタック２３０の互いに反対側の表面上に配置されている。コンデンサ層２４３は、他の層と一体化されており、アノード層２３５及びカソード層２４０と電気的に連結されている。【選択図】図３
2009054570.tif 000002
【特許請求の範囲】
【請求項１】
水素が入っている燃料（２２０）と、
プロトン交換膜を含む燃料電池スタック層（２３０）と、
前記燃料電池スタック層（２３０）の互いに反対側の表面上に配置されているアノード層（２３５）及びカソード層（２４０）と、
他の層と一体化され、前記アノード層（２３５）と前記カソード層（２４０）に電気的に連結されている超コンデンサ層（２４３）と、を備えているシステム。
【請求項２】
前記超コンデンサ層（２４３）は、大きな表面積を提供するナノワイヤ（４３０、４３５）を含む一対のコンデンサプレート（４１０、４１５）であって、前記一対のコンデンサプレート（４１０、４１５）の間に挟まれている電解質材料の層（４２０）を更に含んでいる一対のコンデンサプレートを備えており、前記電解質材料（２４０）は、有機溶剤内の塩を備えている、請求項１に記載のシステム。
【請求項３】
プロトン交換膜を備えた燃料電池層（２２５）を有する水素ベースの燃料電池（１１０）と、
前記燃料電池層（２２５）と一体化されている超コンデンサ（２４３）と、を備えているエネルギー生成器（２００）。
【請求項４】
プロトン交換膜ベースの燃料電池スタック層（２３０）から電力を提供する段階と、
前記燃料電池スタック層（２３０）と電気的に並列に連結されている、前記燃料電池スタック層（２３０）と一体構造に統合されている超コンデンサ層（２４３）から電力を提供する段階と、から成る方法。
【発明の詳細な説明】
【技術分野】
【０００１】
本出願は、燃料電池と一体型の超コンデンサの組み合わせに関する。
【背景技術】
【０００２】
本出願は、２００７年４月２６日出願の米国特許出願第１１／７９６，０１２号の一部継続出願であり、同出願をここに参考文献として援用する。
或る燃料電池ベースの発電機では、水素は、水が存在する中で燃料から抽出され、次いで燃料電池に導入され、電気が作り出される。水素発生器とプロトン交換膜（ＰＥＭ）燃料電池をベースにしている発電機は、バッテリーの様な通常の電源より高いエネルギー密度を提供するが、電流のパルスを迅速に提供するのは、難しい。それらは、更に、自己放電が大きく、始動の遅い傾向がある。更に、高い製造コストが、広範な商品化を妨げている。
【０００３】
多くの電子装置は、基本的にゼロから、数ワット程度の短いパルス電力を迅速に使用することまで、断続的で広範に変化する電力要件を有している。これらの電力要件は、広範な用途に適した商業的に実現可能な燃料電池を設計するのを難しくしている。
【特許文献１】米国特許出願第１１／７９６，０１２号
【発明の開示】
【発明が解決しようとする課題】
【０００４】
以下の説明では、明細書の一部を形成する添付図面を参照するが、その中には、実施される具体的な実施形態を実例として示している。これらの実施形態は、当業者が本発明を実行できるようにするため詳しく説明しているが、他の実施形態を利用してもよいし、特許請求の範囲から逸脱すること無く、論理的及び電気的な変更を加えることができるものと理解されたい。従って、以下の説明は限定を意味するものではなく、本発明の範囲は、特許請求の範囲によって定義される。
【０００５】
水蒸気と、水分を吸収する固体燃料物質との反応を通して、内部的に水素ガスを生成する電気発電機が提供されている。水素ガスは、提供されて、燃料電池で酸素と反応し、電気エネルギーを生成する。コンデンサが燃料電池スタックと一体構造に統合されており、電力と電流のパルスが直ちに提供される。コンデンサは、低負荷状態にある間は充電され、負荷がより多くの電流を必要とするときに放電される。生成された電気エネルギーは、発電機の寸法次第で、発電機に接続されている大小の装置に電力を供給するのに用いられる。本発明の発電機は、発電機の１つ又は複数の燃料電池のアノード及びカソードに電気的に接続されている無線センサー、携帯電話、又は他の掌サイズの電子装置の様な小型装置に電力供給するのに特に有用である。コンデンサを使用すると、燃料電池のプロトン交換膜（ＰＥＭ）の面積を減らすことができるので、高価な金属への需要が減り、自己放電が少なくなる。
【０００６】
図１は、一体型コンデンサ１２０を有する、燃料電池１１０に関する等価回路図１００を示している。燃料電池１１０は、アノード１３５とカソード１４０を有している。両要素は、１つの実施形態では、電気的に平行に連結されており、燃料電池は、少なくとも電流が引き出されていないときはコンデンサを充電し、電流が引き出されるときは、両者が電流を提供するようになっている。引き出されている電力が極僅かであれば、燃料電池は、必要に応じてコンデンサを充電する。様々な実施形態では、多くの異なる燃料電池とコンデンサが用いられている。或る実施形態は、水素ベースの燃料電池と、以下に詳しく述べるナノスケールの機構を有するナノコンデンサの様な、一体型超コンデンサ又は極超コンデンサを利用している。その様なコンデンサは、一般に、通常のコンデンサより遥かに多くの電荷を貯蔵する。
【０００７】
別の実施形態では、電力調整回路１５０が、燃料電池１１０とコンデンサ１２０に連結されている。電力調整回路１５０は、出力を、負荷が必要とする出力と一致するように調整する。電力調整回路１５０は、燃料電池１１０及びコンデンサ１２０と一体化しているものもあれば、様々な実施形態では追加型の装置になっているものもある。更に別の実施形態では、電力調整回路１５０は、負荷の一部であり、燃料電池１１０及びコンデンサ１２０から独立している。
【０００８】
図２は、代表的な実施形態による燃料電池ベースの発電機２００の断面図である。発電機２００は、カソード出力電極２１０とアノード出力電極２１５を含んでいる。カソード出力電極は、一般的なバッテリーのカソードの様に、発電機２００からの突起の様な形に整形してもよい。それは通常ピップと呼ばれる。１つの実施形態では、発電機は、市販されている乾電池バッテリーと似た形に整形されており、乾電池バッテリーと置き換えることができるようになっている。燃料チャンバ２２０には、燃料電池層２２５に水素を提供する水素を含んだ燃料が入っていて、この燃料電池層を図３に拡大して示しており、参照番号は図２と同じである。燃料は、様々な実施形態で、液体でも固体でもよい。
【０００９】
燃料電池層２２５は、プロトン交換膜（ＰＥＭ）、触媒層、ガス拡散層、及び微小孔層を含んでおり、それら全てが燃料電池スタック層２３０で示されている。燃料電池層２２５は、１つの実施形態では、燃料電池層２２５と燃料チャンバ２２０の間に、燃料電池層２２５に連結されているアノード電極層２３５を更に備えている。それは、アノード出力電極２１５にも連結されている。カソード電極層２４０は、燃料電池層２２５の他方の側に連結されており、その一部を構成し、カソード出力電極２１０に連結されている。カソード電極層２４０は、周囲の条件にも曝されている。
【００１０】
１つの実施形態では、燃料電池スタック層２３０は、プロトン交換膜（ＰＥＭ）、又は水素と酸素を結合し、水と、ＧＤＬ又はＭＰＬの様な電気を作り出す他の型式の膜を含んでいる。アノード電極は、燃料スタック層２３０に電気的に連結され、その一部を構成している。カソード電極は、燃料スタック層２３０の他方の側に電気的に連結され、その一部を構成している。
【００１１】
典型的なＰＥＭ燃料電池は、電解膜を備えており、膜の一方の側の正電極又はカソードと、膜の他方の側の負電極又はアノードの間に配置されている。典型的な水素−酸素ＰＥＭ燃料電池の挙動では、水素燃料（例えば、水素ガス）が、流れ場のプレートを通してアノードへ送られ、酸素は、燃料電池のカソードへ送られる。アノードで、水素は、正の水素イオン（プロトン）と負に帯電した電子に分割される。電解膜は、正に帯電したイオンだけを、カソードへ透過させる。負に帯電した電子は、外部回路に沿ってカソードに移動しなければならず、電流を作り出す。カソードでは、電子と正に帯電した水素イオンが酸素と結合し、水の分子を形成する。
【００１２】
１つの実施形態では、燃料電池層２２５は、更に、コンデンサ層２４３を含んでいる。コンデンサ層２４３は、１つの実施形態では、燃料電池層２２５と一体構造に統合されており、アノード電極層２３５に隣接して形成されている。アノード電極層２３５とコンデンサ層２４３には、整列した開口部があり、水素が燃料電池層２２５へ移動し、水蒸気が燃料チャンバ２２０へ移動できるようになっている。別の実施形態では、コンデンサ層２４３は、カソード層２４０に隣接する様に、燃料電池層２２５の他方の層に隣接して形成されている。
【００１３】
燃料電池スタックは、発電機２００の全長に沿って伸張していなくてもよい。これは、部分的には、負荷が、発電機２００を横切って配置されているときは、電流を迅速に提供できるコンデンサの能力による。燃料電池層２２５の長さは、最大定常状態電流に対して所望される仕様に依って決まる。発電機２００の長さより短い場合、自己放電が低減されると同時に、高価なプラチナが入っている膜の全体面積が低減される。
【００１４】
１つの実施形態では、電極、ガス拡散層、膜、及びコンデンサ構成要素の様な燃料層２２５の構成要素は、１つ又は複数の薄い層で形成されており、それらがロール対ロール加工でアッセンブリされ、発電機２００の外周に巻き付けることのできる、薄くて大きな表面積のシートを形成する。
【００１５】
燃料電池層２２５と水素チャンバ２２０の間には、スライド弁がある。スライド弁は、１つの実施形態では、滑動可能な関係に連結されている固定プレート２４５と可動プレート２５０を含んでいる。水素と水蒸気が透過可能な粒子フィルターを、燃料電池と燃料又は燃料チャンバ２２０の間に用いてもよい。１つの実施形態では、固定プレート２４５は、燃料チャンバ２２０に近接又は隣接する決まった位置に支持されており、可動プレート２５０は、可撓性隔膜２５５に連結されており、可撓性隔膜２５５は、燃料チャンバ内の水素の圧力と周囲の気圧との間の圧力の変化に応じて撓む。穴２６０は、隔膜に大気圧への通路を提供する。隔膜２５５は、スライド弁を制御する圧力応答作動装置として働く。固定プレート２４５と可動プレート２５０は、それぞれ開口部を有しており、閉位置にあるときは、流れないようにし、開口部が少なくとも部分的には整列しているときは、流れることができるようにしている。
【００１６】
１つの実施形態では、弁は、周囲と発電機の内側との間の圧力差に応答する。燃料電池層２２５は、燃料コンテナ２２０内の水素と周囲との間の所望の圧力差に曝される。
１つの実施形態では、発電機は円筒形であり、弁プレートは、嵌合穴を有する同心シリンダである。固定プレート２４５と可動プレート２５０は、それぞれ内側シリンダと外側シリンダに相当する。水素圧力が周囲の圧力より高いときの様に、膜２５５を跨いで圧力差が在るときは、膜２５５が変位し、外側シリンダ２５０を内側シリンダに対して軸方向に動かす。内側シリンダに対して外側シリンダが動くと、穴が不整列状態になり、弁が閉じる。
【００１７】
１つの実施形態では、穴が不整列状態にあるときに密閉するため、プレート又はシリンダ間に、Ｏリング２６５が用いられている。１つの実施形態では、Ｏリング２６５は、内側シリンダ又は固定プレート２４５上の環状の溝２７０内に配置されている。Ｏリング２６５は、外側シリンダ又は可動プレート２５０の内側に押し付けられて密閉し、穴が不整列状態になると、弁が閉じられるのに対応して、シリンダを密閉する。これは、実質的に密閉され閉じられた弁位置を提供する。実質的に密閉されると、弁の導電率は、完全開放時の導電率の約１％又はそれ未満である。
【００１８】
１つの実施形態では、Ｏリング２６５は、圧縮可能な材料で形成されており、実質的に環状の溝２７０の中に在る。材料の圧縮性は、通常の製造の間に生じるプレートの寸法のばらつきによる影響を最小にする。ニトリル、フルオロエラストマー、エチレン−プロピレン、テトラフルオロエチレンのコポリマー、及びプロピレン、ＦＥＰ、ＰＦＡ。Ｏリングの断面は、円形でも長方形でもよい。摩耗リング又は滑りリングを用いてもよい。
【００１９】
１つの実施形態のプレートは、潰れることなく動くことができるだけの構造的剛性を維持しながら高い導電率を維持するために、できるだけ薄くなっている。弁の運動方向に平行に延びている外側プレートの外周上の厚い部分は、高い導電率を維持しながら構造的剛性を改良するために用いられている。内側プレートに対しても同様であって、厚い部分が内径上にある。Ｏリングは、１つの実施形態では、プレートの間の良好な密閉性を維持しながら高い導電率を実現するためように、小さな断面を有している。
【００２０】
他の形状のプレートを用いてもよく、一般には、燃料コンテナ及び燃料電池の形状に合ったものになっている。弁プレートは、代わりに、１つの実施形態では、低摩擦接触嵌合を形成している。この実施形態では、Ｏリングを使用する必要はない。プレートの間の静止摩擦を下げるのに、潤滑剤を用いてもよい。固定プレートの直径の様な外径は、可動プレートの内径の寸法に非常に近く、摩擦嵌合を形成している。
【００２１】
外側電極にステンレス鋼を使用し、内側電極にテフロン充填アセタールを使用する様な材料の組み合わせでは、摩擦係数が低い。同様の特性を提供する多くの他の組み合わせを使用することができる。
【００２２】
別の実施形態では、外側プレートは、側面に切り込みを有していて、内径が内側プレートの外径より僅かに小さくなっており、内側プレートに被せたとき、外側プレートが僅かに拡張し、内側プレート（又はＯリング）に対する密閉力を維持するようになっている。更に、外側プレートは可撓性（ゴム）で、内側プレートは剛体（ステンレス鋼）であってもよく、先に述べた様に、外側プレートの内径が内側プレートの外径より僅かに小さくなっていて、内側プレートを受け容れるときに外側プレートが拡張して、密閉力が作り出されるようになっていてもよい。
【００２３】
潤滑剤は、シーラントとして作用してもよい。１つの実施形態では、潤滑剤は、グラファイト、又はシリコン、又は使用されている材料と適合性があり、電気化学反応が起こる他の滑剤でもよい。油又は他の炭化水素系潤滑剤を用いてもよい。
【００２４】
コンデンサ層２４３の一部の１つの代表的な実施形態を図４に詳しく示している。１つの実施形態では、超コンデンサが用いられている。典型的には、超コンデンサは、大きな表面積の電極が液体電解質に浸漬されている電解質コンデンサである。電極の表面積が大きいことと、電解質の二重層の距離が短いことの両方で、大きなキャパシタンスが提供される。図４のコンデンサ層２４３の部分では、一対の電極４１０と４１５が、電解質４２０によって分離されている。更に、絶縁体４２５が、所望の領域に提供されており、電極を、互いから、そして燃料電池層２２５及びアノード層２３５に関係付けられている電極から、絶縁している。ナノワイヤ４３０及び４３５の様なナノスケールの材料は、電極４１０と４１５それぞれから伸張して、表面積を増し、従ってコンデンサ２４０のキャパシタンスを増大している。
【００２５】
１つの実施形態では、ナノワイヤは、幅寸法が１０−９−１０−７メートル又は１−１００ナノメートル程度である。金属、炭素ナノチューブ、導電性ポリマー、半導体、及び絶縁体の様な様々なナノワイヤが存在し、将来存在するであろう。ナノワイヤは、人工材料であり、ナノワイヤを作る材料から、懸垂、堆積、又は合成することによって作り出すことができる。ナノワイヤが本来的に備えている大きな表面対体積比は、小さなパッケージで大きなキャパシタンスを実現する、性能増強を提供する。基本的に、電極上の少量のナノワイヤが、大きなキャパシタンスを生み出す膨大な量の表面積を提供する。更に、垂直に整列したワイヤは、最新式の超コンデンサ技術と比べて、電解質−電極の有効範囲とイオン輸送を良好にすることのできる、規則正しい孔構造を作り出す。
【００２６】
金属ワイヤは、多孔質構造のパターンがナノワイヤ電極に転写されるように、多孔質テンプレートを通して電気めっきするだけで合成することもできる。１つの実施形態では、金属層は、テンプレートの裏側に堆積されている。金属層は、１つの実施形態では、膜の孔を通してそれを電気めっきすることによって堆積させ、その後、テンプレートを溶かすことによってテンプレートを取り除き、図４に示している様に、電極プレートとワイヤ構造を残す。
【００２７】
ワイヤが電気的に堆積された後で溶かされたテンプレートは、非常に規則正しいナノワイヤ電極構造を残す。その後、ナノワイヤ電極全体が、電解質溶液に浸され、ナノワイヤの超コンデンサが形成される。或る実施形態では、テンプレートは、アルミナ又はシリカから形成される。１つの入手可能なテンプレートは、ニュージャージ州のFlorham Parkに事務所を構えるWhatman社が製造しているアルミナ膜であり、この会社は、このアルミナ膜をAnoporeという商標で作っている。材料は、精密な変形可能でないハチの巣状孔構造を有しており、個別の孔の間は横方向に交差していないので、孔が充填されると、多数の個別のワイヤがナノワイヤとして形成される。
【００２８】
１つの代表的な電解質には、有機溶剤と塩が入っている。塩は、電解質材料の代表であり、限定するわけではないが、トリエチルメチルアンモニウムテトラフルオロホウ酸塩とテトラエチルアンモニウムテトラフルオロホウ酸塩を含んでおり、それらのそれぞれは、有機溶剤に溶解する。これらの塩をイオン液と組み合わせてもよい。電解質は、或る実施形態では、水性形態である。
【００２９】
超コンデンサを製造する１つの代表的な方法では、電極は、
１．市販されているアルミナ（Whatman  Anopore）膜を金属（金）でスパッタ被膜する段階と、
２．膜を粘着性導電性テープ（銅）で被膜する段階と
３．市販の膜を通して金属（ニッケル）を電気めっきする段階と、
４．膜を６Ｍ  ＮａＯＨ内に配置し、膜の除去を開始する段階であって、僅かに撹拌することが膜の除去を支援する、段階と、
５．膜を１分間渦巻き状にする段階と、によって準備される。
【００３０】
でき上がった構造は、３００ｎｍまでの直径のナノワイヤを大量に有することになる。これらのナノワイヤ電極は、電解質として０．１Ｍ  ＮａＣｌを使って、電解コンデンサに一体化される。その様な例のナノワイヤを使用すると、制御された平面電極に比べて、低周波数作動で１００倍強化された係数が提供される。ナノワイヤ形状を最適化すると、キャパシタンスを大幅に増強することができる。ナノワイヤの材料は、金又は銀の様な他の高導電性材料であってもよい。水性電解質だけでなく、塩も、有機溶剤、並びにイオン液と共に用いることができる。
【００３１】
一体構造に統合されている超コンデンサを使用する市販の興味深い装置は、陽極化されたアルミナシートの様な大きな面積の多孔性テンプレートと、電解質材料として有機溶剤中の塩を使用している。
【００３２】
ナノワイヤは、表面対体積比が大きいので、少量の材料で大きなキャパシタンスにすることができる。垂直に整列したナノワイヤを使うと、炭素ベースの技術に比べて、イオン輸送が容易なために電力密度を高くすることができ、電解質と直接接触する電極の量が増えることになる。この工程は、実験室互換工程であり、ＭＥＭＳ／チップ−スケールのセンサーに容易に統合することができ、本発明の超コンデンサ電極は、様々なマイクロチップ用途に用いられ、そこで超コンデンサが所望の機能を実行するようになっている。
【００３３】
燃料電池の構成要素（電極、ガス拡散層、及び膜）とコンデンサの構成要素は、多数の薄い層で構成されており、それらはロール対ロール加工でアッセンブリされ、発電機２００の外周に巻き付けることのできる、薄くて大きな表面積のシートを形成する。溶液ベースの合成法でも、真空又は高温システムを必要とすること無く、ロール対ロール法を使って、発電機のコンデンサ構成要素を製作することができる。
【００３４】
コンデンサプレートは、ナノワイヤの様なナノスケールの材料を、可撓性の導電性電極上に一体化することによって形成することができる。ナノ材料の一体化は、陽極化されたアルミナを通して電気めっきする様な溶液ベースの方法で実行することができる。ナノ材料は、電極プレート上に、並外れて大きい表面積を提供し、超コンデンサプレートを作り出す。２つの超コンデンサプレートの間に電解質材料の層を挟むことによって、電解超コンデンサの構築が完了する。
【００３５】
１つの実施形態では、コンデンサ層２４３は、個別に充電することができる小さなコンデンサの配列を備えており、発電機が全電圧を即座に出力できるようにする一方で、時間を掛けて完全に充電することもできるようになっている。これは、負荷が要求した電力プロフィールを送給する能力を提供する。コンデンサは、平行に連結してもよいし、所望の電圧を得るために、幾つかを直列に連結してもよい。更に別の実施形態では、電力調整回路は、発電機と一体化されており、電圧及び電流の要件の様な予測される負荷の要求を満たすように、発電機によって生成される電力を調節する。
【００３６】
図５は、その様なコンデンサの代表的な配列全体を５００で示している。並列に配置されたの３つのコンデンサ５０５、５１０、５１５が図示されている。各コンデンサは、それぞれ電子スイッチ５２０、５２５、５３０に連結されており、プログラム可能なコンデンサバンクを形成している。電子スイッチは、プログラム可能な論理構成要素／チップによって制御されている。スイッチは、特定のコンデンサを選択的に充電するために、即ち、装置のキャパシタンスと、負荷に電力供給するのにどれだけの充電を利用できるかとを効果的に調整するために、開閉される。３つのコンデンサだけを示しているが、多くのコンデンサでこの配列を作ることもできる。別の実施形態では、コンデンサは、１つ又は複数の電子スイッチを使用して、直列に連結されている。
【００３７】
プログラム可能なコンデンサバンクは、燃料電池５４５と、燃料電池アノード電極５５０に連結されているピップ５４０のスイッチに連結されている。ピップ５４０のスイッチは、１つの実施形態では、電源が装置に挿入されているときは、閉じて燃料電池とコンデンサを電気的に接続する。これは、電源が使用されていないときの（コンデンサ内の）自己放電を減らすことになる。
【００３８】
図６は、図２の燃料電池のカソード電極２１０内に形成されているピップ５４０のスイッチを更に詳細に示すブロック図である。スイッチプレート６１０は、ロッド６１５及びばね装置６１７によってカソード電極２１０の内側に支持されている。ピップ５４０のスイッチは、更に、リードをカソード電極６２５及びコンデンサリード６３０に接触させ、カソードをコンデンサバンク５０５、５１０、５１５と選択的に連結させるための、ロッド６１５に連結されている接触プレート６２０を含んでいる。
【００３９】
ＰＥＭベースの燃料電池を一体型の超コンデンサと組み合わせると、ＡＡ、ＡＡＡ、Ｃ、Ｄ、９Ｖ、カメラ及びセンサーに用いられる様々な他の電子バッテリーなどの様な既存の又は将来の電子バッテリーと互換性のある又は一致する形状係数を有する発電機システムの形成がやり易くなる。その様な組み合わせは、同じ形状係数寸法で遙かに大きなエネルギー密度を提供する。１つの実施形態では、少なくとも約１０型式の、その様な形状係数の既存の乾電池バッテリーのエネルギーが提供されている。一体型の超コンデンサを使用すると、乾電池バッテリーの形状係数と同程度の電流レベルを作り出すのに通常必要とされるＰＥＭ面積の寸法を減らすことができる。一体型の超コンデンサと組み合わせることで寸法が小さくなると、様々な負荷が要求する電力プロフィールを供給し易くなる。
【００４０】
要約は、３７Ｃ．Ｆ．Ｒ．§１．７２（ｂ）に従って提供されており、読者は、技術的開示の性質と要点を迅速に確認できるようになっている。要約は、特許請求の範囲又は意味を解釈又は制限するために用いるのではないと理解した上で、提供されている。
【図面の簡単な説明】
【００４１】
【図１】代表的な実施形態による一体型コンデンサを有する燃料電池の等価回路図である。
【図２】代表的な実施形態によるコンデンサを有する燃料電池ベースの発電機の断面図である。
【図３】図１の発電機の一部の断面であり、代表的な実施形態によるスライド弁、コンデンサ、及び燃料電池スタックを示している。
【図４】図３の発電機断面の一部の断面であり、代表的な実施形態によるコンデンサを更に詳しく示している。
【図５】代表的な実施形態による、追加電力を選択的に連結するためのコンデンサの配列の概略である。
【図６】図５のコンデンサを連結するための、燃料電池内の代表的なスイッチのブロック図である。
【図１】
2009054570.tif 000003
【図２】
2009054570.tif 000004
【図３】
2009054570.tif 000005
【図４】
2009054570.tif 000006
【図５】
2009054570.tif 000007
【図６】
2009054570.tif 000008
【外国語明細書】
2009054570000001.pdf